(57)【特許請求の範囲】
【請求項１】
復調した処理信号を出力する信号処理部と、
複数の記録再生装置を直列接続可能であり、前記処理信号が導かれる接続部と、
前記接続部に順次接続された第１、第２の記録再生装置の録画予約情報を参照する録画予約状況管理部と、
前記接続部に接続されている前記第１及び第２の記録再生装置に対して、所定時間以内にアクセスが無いときは、前記第１及び第２の記録再生装置に対する電源供給をオフし、前記録画予約状況管理部の判定出力が前記第２の記録再生装置が録画予約されていることを示すときは、前記第１及び第２の記録再生装置の電源をオンする電源供給管理部と、
を有したことを特徴とする映像表示装置。
【請求項２】
復調した処理信号を出力する信号処理部と、
複数の記録再生装置を直列接続可能であり、前記処理信号が導かれる接続部と、
前記接続部に順次接続された第１、第２の記録再生装置と、
前記接続部に接続されている前記第１、第２の記録再生装置に供給する電源のオン又はオフを管理するものであり、前記第１、第２の記録再生装置のいずれにも、所定時間以内にアクセスが無いときは、前記第１、第２の記録再生装置に対する電源供給のオフを設定し、前記第２の記録再生装置に、前記所定時間以内にアクセスがあったときは、前記第１、第２の記録再生装置の双方に電源供給のオンを設定する制御部と、
前記制御部の設定に応じて、各装置への電源供給を実行する電源と
を有したことを特徴とする映像表示装置。
【請求項３】
前記制御部は、
前記第１、第２の記録再生装置の録画予約状況を判定し、前記第２の記録再生装置が、録画予約状態にあるときは、前記第１、第２の記録再生装置の双方に電源供給のオンを設定する請求項２記載の映像表示装置。
【請求項４】
復調した処理信号を出力する信号処理部と、複数の記録再生装置を直列接続可能であり、前記処理信号が導かれる接続部と、前記接続部に順次接続された第１、第２の記録再生装置と、動作を統括する制御部を有し、前記制御部は、
前記第１、第２の記録再生装置のいずれにも、所定時間以内にアクセスが無いときは、前記第１、第２の記録再生装置に対する電源供給をオフし、
前記第２の記録再生装置に、前記所定時間以内にアクセスがあったときは、前記第１、第２の記録再生装置の双方に電源供給をオンにする、
ことを特徴とする録再部への電源供給方法。
【請求項５】
前記制御部は、さらに
前記第１、第２の記録再生装置の録画予約状況を判定し、
前記第２の記録再生装置が、録画予約状態にあるときは、前記第１、第２の記録再生装置の双方に電源供給をオンする
ことを特徴とする請求項４記載の録再部への電源供給方法。
【発明の詳細な説明】
【技術分野】
【０００１】
この発明は、映像記録再生装置とその録再部への電源供給方法に関するものであり、例えば省エネルギー対策のために節電機能を装備する装置及び方法に有効である。
【背景技術】
【０００２】
近年、記録媒体としてのハードディスク、光ディスクなどの情報記録媒体は、その記憶容量が増大している。このために、これらの媒体を利用した記録再生装置を例えばテレビジョン受信機に内蔵あるいは接続し、所望の番組を記録媒体に自動録画する方法及び装置がある。勿論、チューナ及びハードディスク装置（ＨＤＤ）を内蔵して、番組などを録画する専用の記録再生装置も開発されている。専用の記録再生装置が使用されるときは、テレビジョン受信機の表示器は、モニタとして利用される。
【０００３】
また最近では、接続方式としてＩＥＥＥ１３９４の規格を利用したi.Link接続方式も開発されている。この接続方式によると、例えば記録再生装置を直列接続することが可能であり、直列接続状態において、個々の記録再生装置を独立して制御可能である。
【０００４】
一方では、近年は省エネルギー対策が社会的に要望されている。これに呼応して、ハードディスク装置を備えた装置において、省電力化を図れるようにした装置が開発されている（例えば特許文献１）。この装置では、ハードディスク装置を内蔵した放送受信装置であり、ハードディスク装置が利用されていないときは、電源供給を停止するか或いはハードディスクの回転を低下させて省エネルギーを図るものである。
【特許文献１】特開２００３−２２４７９９公報
【発明の開示】
【発明が解決しようとする課題】
【０００５】
従来であると、複数の記録再生装置を直列に接続した場合、その電源管理についての対策が図られていない。
【０００６】
そこでこの発明の一実施の形態では、一定時間アクセスが無い記録再生装置に対しては、電源をオフし、省エネルギーを図ることができる映像表示装置とその録再部への電源供給方法を提供することを目的とする。またこの発明の他の実施の形態では、複数の記録再生装置が直列接続された場合、各記録再生装置の動作設定状況に応じて電源供給管理を行うことができる映像表示装置とその録再部への電源供給方法を提供することを目的とする。
【課題を解決するための手段】
【０００７】
この発明の一実施の形態では、復調した処理信号を出力する信号処理部と、複数の記録再生装置を直列接続可能であり、前記処理信号が導かれる接続部と、前記接続部に順次接続された第１、第２の記録再生装置の録画予約情報を参照する録画予約状況管理部と、前記接続部に接続されている前記第１及び第２の記録再生装置に対して、所定時間以内にアクセスが無いときは、前記第１及び第２の記録再生装置に対する電源供給をオフし、前記録画予約状況管理部の判定出力が前記第２の記録再生装置が録画予約されていることを示すときは、前記第１及び第２の記録再生装置の電源をオンする電源供給管理部と、を有する。
【発明の効果】
【０００８】
上記の手段により、複数の記録再生装置を直列接続可能な接続部に対して、電源供給管理部と、記録再生装置状態管理部を設けたことにより、直列接続される複数の機器が存在しても、安全な省エネルギー対策が可能となる。
【発明を実施するための最良の形態】
【０００９】
以下この発明の実施の形態を図面を参照して詳細に説明する。まずこの発明が適用された放送受信装置について概要を説明する。
【００１０】
図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１１】
上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００１２】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１３】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１４】
図２は、上記テレビジョン放送受信装置１１の信号処理系１２ａを概略的に示している。この信号処理系１２ａを構成する各種の回路ブロックは、主として、上記キャビネット１２の内部で背面に近い位置、つまり、上記映像表示器１４の表示画面１４ａの裏側あたりに配置されている。
【００１５】
そして、デジタルテレビジョン放送受信用のアンテナ２２で受信したデジタルテレビジョン放送信号は、入力端子２３を介してチューナ部２４に供給される。このチューナ部２４は、入力されたデジタルテレビジョン放送信号から所望のチャンネルの信号を選局し復調している。そして、このチューナ部２４から出力された信号は、デコーダ部２５に供給されて、例えばＭＰＥＧ（moving picture experts group）２デコード処理が施された後、セレクタ２６に供給される。
【００１６】
さらに、アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望のチャンネルの信号を選局し復調している。そして、このチューナ部２９から出力された信号は、Ａ／Ｄ（analog／digital）変換部３０によりデジタル化された後、上記セレクタ２６に出力される。
【００１７】
また、アナログ信号用の入力端子３１に供給されたアナログの映像及び音声信号は、Ａ／Ｄ変換部３２に供給されてデジタル化された後、上記セレクタ２６に出力される。さらに、デジタル信号用の入力端子３３に供給されたデジタルの映像及び音声信号は、そのまま上記セレクタ２６に供給される。
【００１８】
上記セレクタ２６は、４種類の入力デジタル映像及び音声信号から１つを選択して、信号処理部３４に供給している。この信号処理部３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部３４は、入力されたデジタル音声信号に所定の信号処理を施し、アナログ化して上記スピーカ１５に出力することにより、音声再生を行なっている。
【００１９】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６からの操作情報、または、上記リモートコントローラ１７から送信された操作情報が受光部１８を介して受けとられることにより、その操作内容が反映されるように各部をそれぞれ制御している。
【００２０】
この場合、制御部３５は、静的な半導体メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。またこのメモリ部３６には、ＳＲＡＭ，ＤＲＡＭなどいずれのタイプの半導体メモリが含まれていてもよい。
【００２１】
ここで、上記制御部３５は、スタンド１３内に収容された動的な記録媒体であるハードディスクを含むＨＤＤユニット２０と接続されている。この場合、制御部３５からＨＤＤユニット２０に電源電力の供給を行なうライン３７は、接続部３８を介して制御部２６とＨＤＤユニット２０とを接続している。制御データのラインも設けられているがここでは省略している。
【００２２】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００２３】
また制御部３５には、この装置に特徴となる電源供給管理部５３ａ、記録再生装置状態管理部５３ｂを含む。これらの機能及び動作についてはさらに後述する。
【００２４】
そして、上記テレビジョン放送受信装置１１は、セレクタ２６で選択されたデジタルの映像及び音声信号を、ＨＤＤユニット２０により記録することができるとともに、ＨＤＤユニット２０に記録されたデジタルの映像及び音声信号を再生し、視聴に供させることができる。
【００２５】
図３には、上記の装置の特徴的な部分を取り出して示している。信号処理系１２ａ内には、先に説明したように制御部３５が含まれており、この部分にさらに電源供給管理部５３ａ、記録再生装置状態管理部５３ｂが含まれているとした。また、ＨＤＤユニット２０は、ｉ．Link接続されているとした。ｉ．Link接続では、複数の記録再生装置を直列接続可能である。また電源ラインも複数の記録再生装置が、直列となった形で接続される。図３では代表して１つの記録再生装置（ＨＤＤユニット２０）を示している。
【００２６】
このような接続端子に接続される記録再生装置を管理するために、本装置では、電源供給管理部３５ａと、記録再生装置状態管理部３５ｂを設けたことにより、直列接続される複数の機器が存在しても、安全な省エネルギー対策が可能となる。
【００２７】
図４は、上記装置に特徴的な動作及び機能の一例を説明するために示したフローチャートである。テレビジョン放送受信装置１１の電源がオンされると内蔵のＨＤＤユニット２０の電源もオンされる（ステップＳＡ１，ＳＡ２）。一定時間内はＨＤＤユニット２０の電源オンは維持される（ステップＳＡ３、ＳＡ４のループ）。
【００２８】
しかし一定時間内でＨＤＤユニット２０へのアクセスが無い場合には、ＨＤＤユニット２０の電源はオフ状態とされる（ステップＳＡ５）。
【００２９】
ＨＤＤユニット２０がオフ状態のときに、アクセスがあると（ステップＳＡ６）、ステップＳＡ２の処理、つまりＨＤＤユニット２０に対する電源オンが実行される。ステップＳＡ６においてもアクセスが無い場合には、ＨＤＤユニット２０の電源オフが維持される。テレビジョン放送受信装置のメイン電源がオフされた場合には、処理は終了するが、補助電源がオンされてスリープ状態にあるときは、ステップＳＡ６の監視状態が継続される。
【００３０】
図５はさらにこの発明の実施形態を示している。この例では、記録再生装置としてデジタルバーサタイルディスク（ＤＶＤ）の記録再生装置２０ａが追加接続された様子を示している。i.Link接続ラインを介して映像及び音声情報が伝送される。また電源供給ラインと制御信号ラインを介して各接続機器の電源オン又はオフが制御される。ここで、注意しなければならない点は、ＨＤＤユニット２０の電源がオフ制御されると、仮にＤＶＤ記録再生装置２０ａの電源がオンされていても、ｉ．Ｌｉｎｋ接続ラインを介して映像及び音声情報がＤＶＤ記録再生装置２０ａまで到達しえないという不具合がある。
【００３１】
そこで、この装置では、記録再生装置状態管理部３５ｂが各記録再生装置２０，２０ａの状態を常時管理している。例えば、記録再生装置２０ａが所定時間内にアクセスされた場合は、たとえ記録再生装置２０が所定時間以上アクセスされない場合でも、両方の記録再生装置２０、２０ａに対して電源供給が維持される。録画予約状況管理部３５ｂ１が設けられている。この録画予約状況管理部３５ｂ１は、記録再生装置２０、２０ａの録画予約情報を参照して、電源供給を行なう機器を決めることができる。即ち、記録再生装置２０ａが録画予約されていれば、たとえ記録再生装置２０が録画予約されていなくても、両方の記録再生装置２０、２０ａに対して電源供給が維持される。
【００３２】
或いは、記録再生装置２０ａが録画予約されている時間が近づき、記録再生装置２０ａへ電源が供給されていれば、たとえ記録再生装置２０が録画予約されていなくても、両方の記録再生装置２０、２０ａに対して電源供給が維持される。
【００３３】
なお、この明細書では電源のオン、オフに関する説明は、主電源に関するものである。各記録再生装置２０、２０ａは，電源に関しては、予備電源は常にオンしており、制御データに対する応答は、常に可能であるものとする。
【００３４】
図６には、上記したＤＶＤ記録装置２０ａがi.Link接続された様子を具体的に示している。その他の各ブロックは、図２で説明した構成と同じであるので、図２と同一符号を付している。
【００３５】
図７には、さらにこの発明の他の実施の形態を示している。このi.Link端子にさらに多くの記録再生装置２０，２０ａ−２０ｎが接続された様子を示している。この場合でも本発明の装置では、省エネルギー機能が働く。各記録再生装置２０，２０ａ−２０ｎは、メイン電源がオンしていないと、制御データ及び映像音声情報を後段の装置へ伝送できない。しかし全ての記録再生装置２０，２０ａ−２０ｎの電源を常にオンしていたのでは、消費電力が多くなり好ましくない。
【００３６】
そこでこの装置では、例えば図８に示すような動作が制御部３５において得られる。即ち、図８に示すように、デジタルテレビジョン放送受信装置１１の電源がオンされる（ステップＳＢ１）と、記録再生装置状態管理部３５ｂにより、各記録再生装置２０，２０ａ−２０ｎの録画予約状況（ステップＳＢ３）、或いはアクセスが成されているかどうか（ステップＳＢ４）のチェックが行なわれる。録画予約状況は、例えばメモリ部３６に保存されている録画予約テーブルをチェックする（ステップＳＢ２）ことで可能である。
【００３７】
いずれの装置も録画予約が成されておらず、あるいは、録画時間が所定時間内に迫っていない場合には、ステップＳＢ５に移行する。ステップＳＢ５では、いずれの装置もアクセスが終了してから所定時間が経過（例えば１５分或いは、１時間）しているかどうかの判断がなされる。所定時間が経過していれば、各装置の電源がオフされてステップＳＢ２に戻る。ステップＳＢ５において、所定時間が経過していないことが判断された場合には、ステップＳＢ３に戻る。
【００３８】
ステップＳＢ３において、録画予約がなされている装置が有る場合、あるいは録画予約が成されている装置の録画時間が所定時間内に迫った場合には、ステップＳＢ７に移行する。また、装置２０，２０ａ−２０ｎにおいて、１つでもアクセスされた装置がある場合、ステップＳＢ７に移行する。
【００３９】
ここで、ステップＢ７では、録画予約されている装置、あるいはアクセスされた装置は、接続端子から何番目に接続されている装置であるかをチェックする。装置の接続順位の情報もメモリ部３６内の機器管理テーブルをチェックすることにより可能である。制御部３５は新たな装置（機器）がi.Link接続されたときに、例えば認証を行い、装置の種類、装置番号、ＩＤなどを管理することができる。
【００４０】
ステップＳＢ７において、録画予約された装置、あるいはアクセスされた装置が判明した場合、その装置の接続順位が判断される。
【００４１】
例えば、判明した装置が、最初の段に接続されている場合（ステップＳＢ８）には、最初の段の装置の電源を制御データラインを介してオンする（ステップＳＢ１０）。ステップＳＢ７で判明した装置が、初段ではなく、Ｘ番目の装置であったとする。この場合は、Ｘ番目及びその装置よりも手前にある装置の電源は全てオン制御される。
【００４２】
これにより、本来必要な装置の電源のみをオンして、消費エネルギーの低減を図ることができ、かつi.Link接続装置に対して、安定した管理が可能である。
【００４３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４４】
【図１】この発明の実施の形態を示すもので、テレビジョン放送受信装置を説明するために示す外観図である。
【図２】同実施の形態におけるテレビジョン放送受信装置の信号処理系を説明するために示すブロック構成図である。
【図３】本発明の一実施の形態における基本的構成を示す説明図である。
【図４】図３に示した構成の動作例を説明するために示したフローチャートである。
【図５】この発明の他の実施の形態における構成を示す説明図である。
【図６】図５に示した構成をより具体的に示したブロック構成図である。
【図７】この発明のさらに他の実施の形態における構成を示す説明図である。
【図８】図７に示した構成の動作例を説明するために示したフローチャートである。
【符号の説明】
【００４５】
１１…テレビジョン放送受信装置、１２…キャビネット、１３…スタンド、１４…映像表示器、１５…スピーカ、１６…操作部、１７…リモートコントローラ、１８…受光部、１９…支持部材、２０…ＨＤＤユニット、２１…操作子、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…ｉ．Link接続部。
【図１】
0004490878.tif 000002
【図２】
0004490878.tif 000003
【図３】
0004490878.tif 000004
【図４】
0004490878.tif 000005
【図５】
0004490878.tif 000006
【図６】
0004490878.tif 000007
【図７】
0004490878.tif 000008
【図８】
0004490878.tif 000009